(57)【特許請求の範囲】
【請求項１】
金属製の下側ケースと樹脂製の上側ケースが付設されるとともに、被計量物の荷重を検出する荷重検出部と本体ケース上に設けられた風防ケースとを備え、風防ケース内の秤量皿に被計量物を載置してその重量を計量する電子天びんにおいて、前記風防ケースの後壁を構成する金属製の筒状構造体と、前記筒状構造体と下側ケースを電気的に導通させる導通構造体を備えていることを特徴とする電子天びん。
【請求項２】
前記風防ケース内の上側ケース上面に配設された金属プレートと、該金属プレートと筒状構造体とを連結する金属部材を備えていることを特徴とする請求項１記載の電子天びん。
【請求項３】
前記導通構造体は、上側ケースの変形を防止する補強部位を有することを特徴とする請求項１または２記載の電子天びん。
【発明の詳細な説明】
【技術分野】
【０００１】
本発明は風防ケース付きの電子天びんに関し、特に低コスト、軽量かつ（読取１mg以下）の風防付き電子天びんに関する。
【背景技術】
【０００２】
従来、高精度、高分解能（読取１mg以下）の電子天びんにおいては、外部の気流が計量精度に大きく影響するため、これらの誤差要因を除去するために風防ケースで秤量皿の周囲を包囲する方法が採られている。図７は風防ケース付き電子天びんの外観例を示す上面図（Ａ）と側面図（Ｂ）である。図に示すとおり電子天びん１０１は、一般に試料重量を計測する電気回路や計量値を表示する表示部などを収容する下側ケース１０２と、下側ケース１０２に冠着させる上側ケース１０３からなる本体ケース１０４上に風防ケース１０５を配設している（例えば特許文献１参照）。
【０００３】
前記風防ケース１０５は、前記上側ケース１０３上に立設させた一対のＬ形フレーム１０６Ａ、１０６Ｂと、後部に立設させた筒状構造体１０７と、これらＬ形フレーム１０６Ａ、１０６Ｂの上部に当接させ、筒状構造体１０７の上部にねじ止めされた四辺枠から構成される枠体１０９と、この枠体１０９の前面に配設されたフロントガラス１１０、被計量物の出し入れ時に前後移動可能な上スライドガラス１１１、右スライドガラス１１２および左スライドガラス１１３とから構成され、秤量皿１１４を密閉状態に包囲している。
【先行技術文献】
【特許文献】
【０００４】
【特許文献１】特開２００１−９９６９９号公報
【発明の概要】
【発明が解決しようとする課題】
【０００５】
前記電子天びんにおいては、従来、本体ケース１０４の素材にはアルミ合金が多く使われていたが、最近、コストの低減や軽量化のニーズの高まりから前記上側ケース１０３の素材に樹脂が使用されている。本体ケース１０４の素材がすべてアルミ合金のような金属材である場合は、本体ケース１０４と筒状構造体は電気的に導通しているので外部からの電磁波や静電気の計量精度への影響は小さく無視できるが、上側ケース１０３が樹脂製である場合は外部からの電磁波の侵入や静電気の発生によって計量精度に大きな影響を与えるという問題がある。
【０００６】
また、上側ケース１０３が樹脂製である場合は経年変化や環境条件の影響を受けて変形しやすく、図７に示す筒状構造体１０７の下部周辺の上側ケース１０３に変形を生じると筒状構造体１０７が後方に傾斜する場合がある。筒状構造体１０７が後方に傾斜すると枠体１０９の前方が浮き上がりフロントガラス１１０の上部と枠体１０９との間に隙間が生じ風防ケースの密封性が破壊し、計量精度に影響するとともにフロントガラスにガタツキが生じるという問題がある。また、筺体を樹脂で構成することにより、剛性不足が問題となる。
【課題を解決するための手段】
【０００７】
本発明の電子天びんは、金属製の下側ケースと樹脂製の上側ケースが付設されるとともに、被計量物の荷重を検出する荷重検出部やその荷重検出部と本体ケース上に設けられた風防ケースとを備え、風防ケース内の秤量皿に被計量物を載置してその重量を計量する電子天びんにおいて、前記風防ケースの後壁を構成する金属製の筒状構造体と、前記筒状構造体と下側ケースを電気的に導通させる導通構造体を備えているものである。
【０００８】
さらに風防ケース内の上側ケース上面に配設された金属プレートと、該金属プレートと前記筒状構造体とを連結する金属部材を備えているものである。
さらに前記導通構造体は、上側ケースの変形を防止する垂直補強部位を有するものである。
【発明の効果】
【０００９】
本電子天びんは下側ケースと筒状構造体を導通させる導通構造体と、風防ケース内の上側ケース上面の金属プレートと筒状構造体を導通させる金属部材を備えているので、外部からの電磁波および静電気は、導通構造体および金属部材を介して筒状構造体から電子天びんの本体ケースの外殻を通過するので内部電気回路への干渉が除去される。また前記導通構造体は上側ケースの変形を阻止する垂直補強部位を備えているので、風防ケース上部前方の浮き上がりが防止される。これにより、強度不足を防止しつつ、低コスト、軽量かつ高精度の風防付き電子天びんが得られる。
【図面の簡単な説明】
【００１０】
【図１】本発明による電子天びんの筐体の構成を示す中心断面図（Ａ）とＡ−Ａ断面図（Ｂ）である。
【図２】実施例に係るブラケットの上面図（Ａ）と右側面図（Ｂ）である。
【図３】実施例に係るブラケットの上面図（Ａ）と右側面図（Ｂ）である。
【図４】他の実施例によるカバーの裏面図（Ａ）とそのＢ−Ｂ断面図（Ｂ）およびＣ−Ｃ断面図（Ｃ）である。
【図５】実施例に係るブラケットの上面図（Ａ）と右側面図（Ｂ）である。
【図６】実施例に係るブラケットの上面図（Ａ）と右側面図（Ｂ）である。
【図７】従来の風防ケース付の電子天びんの上面図（Ａ）と右側面図（Ｂ）である。
【発明を実施するための形態】
【００１１】
以下、本発明の電子天びんの実施例を図面を参照して説明する。図１は本発明の電子天びんの筐体の前後方向の中心断面図（Ａ）とＡ−Ａ断面図（Ｂ）である。図２、図３は実施例に係るブラケット１６、１７の各上面図（Ａ）と右側面図（Ｂ）である。筐体１は、被計量物の荷重を検出する荷重検出部やその荷重検出部から検出された電気信号を被計量物の重量値データに変換する電気回路などを収容する収容室２ａを形成した金属製の下側ケース２とこの下側ケース２に冠着し、各２本のネジ３、ネジ４で結合される樹脂製の上側ケース５等からなる本体ケース６とその上面に配設される風防ケース７から構成されている。
【００１２】
前記風防ケース７は、上側ケース５に設けられた溝５ａの両端に立設する一対のＬ形フレーム８Ａ、８Ｂと、後方に立設された一対の鋳型部材９１、９２と金属プレート９３、９４により包囲された収容室９ａを形成した筒状構造体９と、前記Ｌ形フレーム８Ａ、８Ｂの頭部に当着させるとともに鋳型部材９１、９２の頭部にネジ１０で締着した四辺枠で枠体１１を構成している。枠体にはフロントガラス１２が嵌合され、右スライドガラス１３、左スライドガラス１４、上スライドガラス１５が前後に移動可能に嵌合されている。
【００１３】
前記上側ケース５の裏面には図２および図３に示す金属製の一対の導通構造体としてのブラケット１６、１７が配設される。ブラケット１６には小孔１６ａと１６ｂ、ブラケット１７には小孔１７ａと１７ｂが貫設されている。ブラケット１６は、図１に示すとおり小孔１６ａに通したネジ１８により上側ケース５を介して鋳形部材９１と連結され、その後方は下側ケース２に当接し、ネジ４により上側ケース５と一体に連結されている。これにより、筒状構造体９は電気的に下側ケース２と電気的に導通している。同様に、鋳型部材９２はブラケット１７により下側ケース２と電気的に導通している。
【００１４】
また、風防ケース７内の上側ケース５上面に取り付けられた金属プレート１９が、前記金属プレート９３に固定された金属部材２０と接触し、金属プレート１９と下側ケース２は電気的に導通している。
【００１５】
前記下側ケース２の収容室２ａの上面には金属プレート２１が導通状態で冠着され、収容室２ａが電気的にシールドされている。前記筒状構造体９内の収容室９ａは計測のための基板を収容しているが、収容室２ａと導通しているので、外部からの電波ノイズは筒状構造体９および下側ケース２を通過することにより内部の電気回路への干渉が阻止される。さらに、前記金属プレート１９も下側ケース２と導通しているので、金属プレート１９に誘起される静電気の計量値の影響が阻止される。なお、電源源回路や外部装置とのインターフェース回路を前記収容室９ａに配置してもよい。
【００１６】
前記本体ケース６に用いる上側ケース５の他の実施例を図４、図５および図６を参照して説明する。図４は他の実施例による上側ケース５Ａの裏面図（Ａ）とＢ−Ｂ断面図（Ｂ）およびＣ−Ｃ断面図（Ｃ）、図５、６は実施例に係るブラケット２２、ブラケット２３の各上面図（Ａ）と右側面図（Ｂ）である。
【００１７】
前記ブラケット２２、２３は、前記ブラケット１６、１７に上側ケース５Ａの裏面と直角な垂直補強部位２２ａと２２ｂおよび垂直補強部位２３ａおよび２３ｂを付加し、風防ケース７や上側ケース５Ａの変形による荷重に対する垂直方向の撓み防止強度を向上させたものである。また、上側ケース５Ａは左右対称位置に前記ブラケット２２およびブラケット２３の一端を嵌合させる凹みを形成した突起部５ｂおよび突起部５ｃが設けられている。
【００１８】
前記上側ケース５Ａの突起部５ｂの凹みにブラケット２２の一端を挿入した状態でネジ１８により鋳型部材９１を上側ケース５Ａに固着することにより、鋳型部材９１の固着部位に対する突起部５ｂ上の上側ケース５Ａの当該部位の垂直方向における変位が抑制される。また突起部５ｃの凹みにブラケット２３の一端を挿入した状態でネジ１８により上側ケース５Ａを介して鋳型部材９２を固着する。これにより上側ケース５Ａの鋳型部材９１、９２周辺は、ブラケット２２の垂直補強部位２２ａ、２２ｂ、ブラケット２３の垂直補強部位２３ａ、２３ｂにより補強され鋳型部材９１、９２の傾斜要因が除去される。
【００１９】
なお、本発明は上記実施例に限定されず、例えば前記ブラケット２２、２３の固定方法として、図５、図６に示すとおり小孔２２ｃ、２３ｃを開け、図４に示すとおりネジ２４を用いて上側ケース５Ａに螺着してもよい。また、ブラケット２２の一端を上側ケース内に予め埋め込んでおいてもよい。
【産業上の利用可能性】
【００２０】
低コスト、軽量かつ高精度の風防付き電子天びん。
【符号の説明】
【００２１】
１  筐体
２  下側ケース
２ａ  収容室
３  ネジ
４  ネジ
５  上側ケース
５Ａ  上側ケース
５ａ  溝
５ｂ  突起部
５ｃ  突起部
６  本体ケース
７  風防ケース
８Ａ  Ｌ形フレーム
８Ｂ  Ｌ形フレーム
９  筒状構造体
９ａ  収容室
１０  ネジ
１１  枠体
１２  フロントガラス
１３  右スライドガラス
１４  左スライドガラス
１５  上スライドガラス
１６  ブラケット
１６ａ  小孔
１６ｂ  小孔
１７  ブラケット
１７ａ  小孔
１７ｂ  小孔
１８  ネジ
１９  金属プレート
２０  金属部材
２１  金属プレート
２２  ブラケット
２２ａ  垂直補強部位
２２ｂ  垂直補強部位
２２ｃ  小孔
２３  ブラケット
２３ａ  垂直補強部位
２３ｂ  垂直補強部位
２３ｃ  小孔
２４  ネジ
９１  鋳型部材
９２  鋳型部材
９３  金属プレート
９４  金属プレート
１０１  電子天びん
１０２  下側ケース
１０３  上側ケース
１０４  本体ケース
１０５  風防ケース
１０６Ａ  Ｌ形フレーム
１０６Ｂ  Ｌ形フレーム
１０７  筒状構造体
１０９  枠体
１１０  フロントガラス
１１１  上スライドガラス
１１２  右スライドガラス
１１３  左スライドガラス
１１４  秤量皿
【図１】
0005402839.tif 000002
【図２】
0005402839.tif 000003
【図３】
0005402839.tif 000004
【図４】
0005402839.tif 000005
【図５】
0005402839.tif 000006
【図６】
0005402839.tif 000007
【図７】
0005402839.tif 000008